(57)【特許請求の範囲】
【請求項１】
タワークレーンのラチスカウンタージブ要素またはラチスジブ要素のラチス桁の三角型梁構造であって、
前記三角型梁構造は、一つの上弦と二つの下弦によって画定された縦断面三角形状とし、且つ所定の間隔Ｐにより長手方向に分割されたラチス桁であって、
該ラチス桁の側面に関して、前記上弦及び下弦に対して実質的に直角で、各々が上弦と下弦を接続する複数の圧縮バーを備え、
前記それぞれの圧縮バーは、前記間隔Ｐの二倍に等しい間隔を有して配置し、
前記圧縮バーの頂部と、その圧縮バーのベースの前方に間隔Ｐで配置されたポイントにおいて各々の下弦と接続する複数の短い傾斜テンションバーを備え、
前記圧縮バーの頂部と、その圧縮バーのベースの前方、すなわち次の圧縮バーのベースに配置された二つの間隔Ｐで配置されたポイントにおいて各々の下弦と接続する複数の長い別の傾斜テンションバーを備え、
さらに、前記ラチス要素の水平下面に、前記二つの下弦の前記各々の対向する各ポイント間に亘って接続する交差部材を設け、
かつ、圧縮バーのベースに配置された一方の下弦のポイントと前記所定間隔Ｐで配置された他方の下弦のポイント間に亘って接続する傾斜バーを設けたことを特徴とする三角型梁構造。
【請求項２】
複数の圧縮バーと、“長い”及び“短い”傾斜テンションバーが、円形または楕円形断面の管の形で、組合せ交点を形成するため平らにカットされた端部を具備するように製造されることを特徴とする請求項１に記載の三角型梁構造。
【請求項３】
上方組合せ交点を形成するため：
複数の圧縮バーが、上弦の長手軸に平行な矩形上縁部を具備し、平らにカットされて、その弦に溶接された、上端部を備えること；
複数の長い傾斜テンションバーが、上弦の長手軸に平行な矩形上縁部を具備し、平らにカットされて、その弦に溶接された、上端部を備え、それら複数のバーの平らな上端部は、圧縮バーの平らな上端部の対応する上縁部に対して面する、実質的に垂直な後縁部も有し、それら二つの近接した縁部が、互いに溶接されること；
複数の短い傾斜テンションバーが、圧縮バーと長い傾斜テンションバーの隣接する平らな上端部にまたがる、平らにカットされた上端部を備え、短い各傾斜テンションバーの周辺部が、それにまたがる複数の別のバーの平らな上端部に溶接されること；
を特徴とする請求項２に記載の三角型梁構造。
【請求項４】
圧縮バーと長い傾斜テンションバーの個々の中立素分が、上弦の中立素分を含む水平面に配置された複数のポイントで、互いに集まることを特徴とする請求項１〜３のいずれか一項に記載の三角型梁構造。
【請求項５】
三角断面のジブ要素または桁について、圧縮バーと長い傾斜テンションバーの個々の中立素分は、二つの横面に関して、上弦の中立素分を含む垂直平面に配置された複数のポイントで、互いに全て集まることを特徴とする請求項４に記載の三角型梁構造。
【請求項６】
三角断面のジブ要素について、短い傾斜テンションバーの個々の中立素分は、二つの横面に関して、それら自体、上弦の中立素分を含む垂直平面に配置された複数のポイントで、互いに集まることを特徴とする請求項５に記載の三角型梁構造。
【発明の詳細な説明】
【０００１】
【発明が属する技術分野】
本発明は、タワークレーン用のラチスジブ要素またはラチスカウンタージブ要素のラチス桁の三角型梁構造に関するものである。
【０００２】
【従来の技術】
一般的に知られている方法で、タワークレーンジブは、それに沿ってジブ運搬部材が通常移動し、所望の長さを有するジブを形成するために、互いに組み合わされ且つ整列される、連続したジブ要素から成っている。各ジブ要素は、三角形、矩形、または台形の断面を有し、二個ごとに平面を画定する弦から成る、ラチス桁タイプの構造をしている。それら各平面において、二つの弦は、相互形成するバータイプの伸長部分によって、互いに接続されており、それは“三角型梁構造（triangulation）”と称される。このタイプの構造は、ジブと適切には上げる負荷を釣り合わせる釣合い重りを支持する、タワークレーンのカウンタージブにも使用されている。
【０００３】
このタイプのラチス桁の特別な特徴は、その横面に関して、ラチス桁が作業している時、常に応力の掛かる上弦と、常に圧縮される下弦とを有していることである。
【０００４】
タワークレーンのジブ要素に、現在最も共通した三角型梁構造は、斜視図としてジブ要素部分を図示した添付図面の図１に図示されている。それは縦断面三角型梁構造のジブ要素であり、その単一の上弦は符号２で示されており、その二つの下弦は符号３で示されている。
【０００５】
前記三角型梁構造は、長手方向に間隔Ｐで、且つ問題となるジブ要素の各横面に、繰り返されて：
バー４及び５が、弦２及び３に対して直角であり、各々が上弦２を下弦３の一つに接続されること；
別のバー６及び７が、斜めに延びて、“斜め部材”と呼ばれる、各傾斜バーが前記バー４または５の一つの頂部を、それらのバーの次のべ−スに接続すること；
から成る。
【０００６】
ジブ要素の水平下面は、交差部材８、９、１０及び別の傾斜バー１１、１２により異なる構造を有している。
【０００７】
ジブ要素に関するその様な公知の三角型梁構造の一例として、本出願人の名前のフランス国特許出願公開明細書FR 2773550 A、または同様に欧州文献EP 0928769 Aを参照する。
【０００８】
また図１を参照して、二つの連続した間隔Ｐに関して、横の三角型梁構造によるバーにおける力を考慮すると、それらの力は以下のように、クレーンまたは負荷の位置によって起こる負荷の値であり：
バー４及び５に関して:圧縮力；
別のバー６及び７に関して：張力；
である。
【０００９】
結果的に、バー４及び５の長さは、圧縮によるそのかさばりを防ぐため、できるだけ小さくしなければならない。別のバー６及び７の長さは、より大きくなってもよい。
【００１０】
このタイプの三角型梁構造の主な欠点は、対応する構造が未だ比較的多い重量を持つ以外は、寸法に関して好適ではないことである。
【００１１】
【発明が解決しようとする課題】
本発明は、それらの欠点を取り除くこと、すなわち、タワークレーン用のカウンタージブまたはジブ要素のラチス桁の構成に関して、要素の構成パーツの数を減らすこと、すなわちその要素の重量を減らすこと及び、また防風横面も減らすことであり、そのようにして、その製造コスト及びクレーンを動作させるコストを減らすことで、適切なものにすることを目的としている。
【課題を解決するための手段】
【００１２】
本発明は上記課題を解決するために、タワークレーンのラチスカウンタージブ要素またはラチスジブ要素のラチス桁の三角型梁構造であり、
前記三角型梁構造は、一つの上弦と二つの下弦によって画定された縦断面三角形状とし、且つ所定の間隔Ｐにより長手方向に分割されたラチス桁であって、
該ラチス桁の側面に関して、前記上弦及び下弦に対して実質的に直角で、各々が上弦と下弦を接続する複数の圧縮バーを備え、
前記それぞれの圧縮バーは、前記間隔Ｐの二倍に等しい間隔を有して配置し、
前記圧縮バーの頂部と、その圧縮バーのベースの前方に間隔Ｐで配置されたポイントにおいて各々の下弦と接続する複数の短い傾斜テンションバーを備え、
前記圧縮バーの頂部と、その圧縮バーのベースの前方、すなわち次の圧縮バーのベースに配置された二つの間隔Ｐで配置されたポイントにおいて各々の下弦と接続する複数の長い別の傾斜テンションバーを備え、
さらに、前記ラチス要素の水平下面に、前記二つの下弦の前記各々の対向する各ポイント間に亘って接続する交差部材を設け、
かつ、圧縮バーのベースに配置された一方の下弦のポイントと前記所定間隔Ｐで配置されて他方の下弦のポイント間に亘って接続する傾斜バーを設けたことを特徴とする三角型梁構造。
【００１３】
【本発明の実施の形態】
本発明の課題である三角型梁構造は、ゆえに更に空間をあけて、少数の圧縮バーと、一方が短く他方が長い二つのタイプの“斜め部材”とを組合せることを特徴としている。またこの構造は、上弦の範囲において特別な組合せ交点があり、それら交点の各々が、実質的に圧縮バーと、“短い”傾斜バーと、“長い”傾斜バーの集中ポイントであることを特徴とすることは明らかである。
【００１４】
圧縮バーは、主要な力の吸収を確実にする。“長い”傾斜テンションバーは、主要な力の吸収能力も有している。“短い”傾斜テンションバーに関して、それらは運搬部材の通過と下弦の逆座屈（counterbuckling）に起因し得る垂直力を吸収する特別な能力を有する。
【００１５】
それら全てのバーは、それらが圧縮バーであろうと、“長い”及び“短い”傾斜テンションバーであろうと、好ましくは円形または楕円形断面の管の形で、組合せ交点を形成するため平らにカットされた端部を具備するように製造される。特に三つのタイプの三角形バーに関して集合ポイントを形成する、上方組合せ交点を形成するため、有利には：
複数の圧縮バーに関して、上弦の長手軸に平行な矩形上縁部を具備し、平らにカットされて、その弦に溶接された、上端部を備えること；
複数の長い傾斜テンションバーに関して、上弦の長手軸に平行な矩形上縁部を具備し、平らにカットされて、その弦に溶接された、上端部を備え、それら複数のバーの平らな上端部は、圧縮バーの平らな上端部の対応する上縁部に対して面する、実質的に垂直な後縁部も有し、それら二つの近接した縁部が、互いに溶接されること；
複数の短い傾斜テンションバーに関して、圧縮バーと長い傾斜テンションバーの隣接する平らな上端部にまたがる、平らにカットされた上端部を備え、短い各傾斜テンションバーの周辺部が、それにまたがる複数の別のバーの平らな上端部に溶接されること；
がある。
【００１６】
この三角型梁構造の特別な実施形態によると、圧縮バーと長い傾斜テンションバーの個々の中立素分が、上弦の中立素分を含む水平面に配置された複数のポイントで、互いに集まる。
【００１７】
三角断面のジブ要素または桁について、圧縮バーと長い傾斜テンションバーの個々の中立素分は、二つの横面に関して、上弦の中立素分を含む垂直平面に配置された複数のポイントで、互いに全て集まる。
【００１８】
また三角断面のジブ要素について、短い傾斜テンションバーの個々の中立素分は、二つの横面に関して、それら自体、上弦の中立素分を含む垂直平面に配置された複数のポイントに、互いに集まる。
【００１９】
全体として、タワークレーン用のジブ要素の三角型梁構造は、そのようにして形成され：
ジブ要素の製造に関して、構成パーツの数の減少；
このジブ要素の重量に関連する減少、すなわちそれ自体、カウンタージブとカウンタージブの実際の構造のバラストを減らすこと；
ジブ要素用の防風横表面を減らすこと、すなわちそれ自体、カウンタージブ用の風補強表面を減らすこと；
をもたらす。
【００２０】
それらの利点は、全体として順に、ジブ要素とクレーンの製造において、及びクレーンの動作、特に適所に据付中に、かなりの経済的な節約になる。
【００２１】
【実施例】
本発明は、一例として、タワークレーン用のジブ要素に応用される三角型梁構造の実施例を図示した、添付図面を参照して、以下の記載からより明確に理解されるであろう。
【００２２】
図１は、タワークレーンのジブ要素の一部分において、既知の三角型梁構造の主要部を取り出している。さらに、図２は、１３によって示された完全なジブ要素を示しており、それはジブ要素１３の全長にかけて、間隔Ｐにより繰り返し配置される三角型梁構造で形成されている。図２は側面図であり、特にその実質的な垂直バーと傾斜バーによるジブ要素１３の三角型梁構造を示している。
【００２３】
それと比較して、図３は本発明による三角型梁構造により、その二つの横面に関して形成されたジブ要素１３を示しており、またそれは図４で（このジブ要素の一部分に関して）正しい相関関係で図示されている。
【００２４】
ジブ要素１３は断面三角形であり、特にここで考慮される三角型梁構造は、一つの上弦２と二つの下弦３によって画定されている。
【００２５】
三角型梁構造は実質的に、上弦のポイント１５を下弦３のポイント１６に各々接続する、垂直圧縮バー１４を備えている。圧縮バー１４は、所定の間隔Ｐを二倍に等しい規則的な空間２Ｐに関して、互いに連続している。
【００２６】
また三角型梁構造は、圧縮バー１４の頂部１５を下弦３のポイント１８に各々接続する、傾斜テンションバー１７も備えており、ポイント１８は、この同じ圧縮バー１４のベースの前方で、一間隔Ｐで配置されている。
【００２７】
最後に、三角型梁構造は、前のものよりも長い別の傾斜テンションバー１９を備えている。各テンションバー１９は、圧縮バー１４の頂部１５を下弦３のポイント２０に接続しており、前記ポイントは、この同じ圧縮バー１４のポイント１６の前に二つの間隔Ｐで、すなわち次の圧縮バー１４のベースに配置されている。
【００２８】
各圧縮バー１４の頂部１５が、上記の記載から分かるように、上方組合せ交点を形成し、そこで圧縮バー１４と、短い傾斜テンションバー１７と、長い傾斜テンションバー１９が（ジブ要素１３の一横面に関して）集まって、それら三つのバー１４、１７、１９が、直接または間接的に上弦２にも接続されている。
【００２９】
また、ジブ要素１３の水平下面に、間隔Ｐにより規則的に間隔をあけた、前記二つの下弦３，３の前記各々の対向する各ポイント１６，１８，２０間に亘って接続する交差部材８．９．１０を設けている。
さらに、圧縮バー１４の一方のポイント１６と、一間隔Ｐにより規則的に間隔をあけた、他方の下弦のポイント１８と間に亘って接続する傾斜バー１１を設けている。
また、同様に前記ポイント１８と圧縮バー１４のポイント２０との間に亘って接続する傾斜バー１２を設けている。
【００３０】
以下の図５、図６及び図７を参照すると、特に上方組合せ交点１５に関連する、三角型梁構造の詳細を、ここで好ましい実施例に関して説明する。
【００３１】
様々なタイプのバー１４、１７及び１９は、全て円形横断面の管から成っており、その端部は平らになっており、組合せ交点を形成するため適切な周辺部に従ってカットされている。特に、圧縮バー１４と、短い傾斜テンションバー１７と、長いテンションバー１９の上端部は、平らにされ、カットされた端部は、２１、２２及び２３によって個別に示されており、上方組合せ交点１５を形成するのに適切なものである。
【００３２】
各圧縮バー１４の平らな上端部２１は、その各端部が一般的な形状の矩形または、平行四辺形であり、特に上弦２の長手軸線Ａに対して平行な矩形状縁部２４を有しており、それはここでは管状である。その縁部２４は、上弦２の母線に沿って、上弦２に溶接されている。
【００３３】
長い各傾斜テンションバー１９の平らな上端部２３は、一般的な五角形をしており、特に矩形上端部２５と矩形縁部２６を有している。上縁部２５は、上弦２の長手軸Ａに平行であり、その上弦２にその母線に沿って、圧縮バー１４の平らな上端部２４の溶接ビードの伸長部で、溶接される。実質的に垂直な後縁部２６が、圧縮バー１４の平らな上端部２１の前縁部２７に対して、配置している。二つの隣接縁部２６及び２７が、互いに溶接されている。
【００３４】
一般的な矩形状をした短い各傾斜テンションバーの平らな上端部２２は、平らな上端部２１に対して外側で、隣接する圧縮バー１４と長い傾斜テンションバー１９に付けられて、それら二つの端部２１及び２３にまたがるようになっている。傾斜テンションバー１７の平らな上端部２２の周辺部２８は、別のバー１４及び１９の平らな端部２１及び２３に、溶接されている。
【００３５】
最後に、図６及び図７を参照して、ジブ要素１３の三角型梁構造の様々なバー１４、１７、１９の中立素分に関し、更に詳述する。
【００３６】
圧縮バー１４の中立素分２９と、それに関連する長い傾斜テンションバー１９の中立素分３０を、ジブ要素１３の各横面において、最初に考える。二つの中立素分２９及び３０は、上弦２の中立素分を含む水平面Ｐ１に配置されたポイント３１で、互いに集まり、前記中立素分は、ここでその上弦２の長手軸線Ａと同一である。
【００３７】
ここでジブ要素１３の横面に個別に属する対称バーを考えると、圧縮バー１４と長い傾斜テンションバー１９の個々の中立素分２９、３０は、上弦２の中立素分（軸線Ａ）を含む垂直面Ｐ２に配置されたポイントで、全て互いに集まっている。同様に、短い傾斜テンションバー１７の個々の中立素分３２は、ジブ要素の二つの横面に関して、上弦２の中立素分（軸線Ａ）を含む垂直面Ｐ２に配置された、ポイントで集まっている。
【００３８】
計算によって、上記の三角型梁構造が、特に相対的に高さの大きなジブ要素用に、例えば約１メートルよりも上の高さのジブ要素用に、長さに関して有利な解決手段を提供することが示されている。
【００３９】
上記の結果として、本発明の課題である三角型梁構造は、特にマストヘッドなしでタワークレーンのジブを製造するために使用することができるが、それにも関わらず、ジブホルダーの機能を有するマストヘッドを具備したタワークレーンに関して、特にジブホルダーを具備したクレーンジブの片持ち部分に関して、その使用が除外されることはない。
【００４０】
本発明は、特許請求の範囲に定義したように、
いかなるタイプのバー、例えば楕円形あるいは矩形断面の管状バー、またはアングルピース、または別の平坦バーによって、三角接続部を形成し、それらのバーは一定の断面または、それらの長さが可変な断面を有することができること；
構造的な詳細部、すなわち上方組合せ交点のそれを変えること；
例えば上方組合せ交点の位置に進行するまたは戻ることによって、寸法的な変化を行うこと；
中立素分の集合ポイントに位置を変えること;
三角形以外の断面、例えば矩形あるいは台形の断面を有する、ジブ要素の横面用に、同じ三角型梁構造を使用すること；
タワークレーン用、または他のラチス桁、あるいはラチス桁要素に関して、この三角型梁構造を使用すること；
は本発明の範囲内である。
【図面の簡単な説明】
【図１】  従来技術による三角接続部のジブ要素部分の斜視図。
【図２】  従来技術による三角接続部のジブ要素の側面図。
【図３】  本発明による三角接続部のジブ要素の側面図。
【図４】  本発明による三角接続部のジブ要素部分の斜視図。
【図５】  本発明による三角接続部の上方組合せ交点の詳細を拡大して示した斜視図。
【図６】  組合せ交点の側面図。
【図７】  本発明による三角接続部によるジブ要素の上部の断面図。
【符号の説明】
２    上弦
３    下弦
４    バー
５    バー
６    バー
７    バー
８    交差部材
９    交差部材
１０  交差部材
１１  傾斜バー
１２  傾斜バー
１３  ジブ要素
１４  圧縮バー
１５  ポイント／頂部／組合せ交点
１６  ポイント
１７  短い傾斜テンションバー
１８  ポイント
１９  長い傾斜テンションバー
２０  ポイント
２１  上端部
２２  端部
２３  上端部
２４  上縁部
２５  上縁部
２６  後縁部
２７  前縁部
２８  周辺部
２９  中立素分
３０  中立素分
３１  ポイント
３２  中立素分
３３  ポイント
Ａ    軸線
Ｐ    間隔
Ｐ２  平面
【図１】
0004243510.tif 000002
【図２】
0004243510.tif 000003
【図３】
0004243510.tif 000004
【図４】
0004243510.tif 000005
【図５】
0004243510.tif 000006
【図６】
0004243510.tif 000007
【図７】
0004243510.tif 000008